【手続補正書】
【提出日】平成24年5月14日(2012.5.14)
【手続補正１】
【補正対象書類名】特許請求の範囲
【補正対象項目名】全文
【補正方法】変更
【補正の内容】
【特許請求の範囲】
【請求項１】
台座１上の前部に低い台２、後部に高い台３の上方に突設していて、その高い台３上に、下方に背の延長部４を設けた背の部材５の背部６と上肢の座９の蝶着部７から上に離れた位置を蝶着し、その上肢の座９の前縁に下肢の座１０が蝶着され、下肢の座１０の下辺に足の座１１が、足の座１１の後部を下肢の座１０の下部に重ねて軸着され、上肢の座９の中間は、低い台２上に蝶着して斜上した部材の先端に支えられ、下肢の座１０の中間は、背の延長部４の先端に蝶着して前方に突設した部材の尖端に蝶着された椅子。
【請求項２】
台座１の下面にキャスタ１１を装備した請求項１の椅子。
【手続補正２】
【補正対象書類名】明細書
【補正対象項目名】全文
【補正方法】変更
【補正の内容】
【発明の詳細な説明】
【発明の名称】仰臥できる揺り椅子
【技術分野】
【０００１】
本発明は、仰臥できる椅子に関するものである。
【背景技術】
【０００２】
個人用の仰臥できる椅子は探せなかったので、図２及び図３の事業用の仰臥できる椅子の一例について説明する。
台座５１上の後部に背を支える基台５２を立設し、前部にアクチュエ一夕５０を蝶着して立設し、そのアクチュエータ５０の上端に上肢の座５４の後部が蝶着され、その上肢の座５４の後部に起立板５４ｂが立設されている。
【０００３】
基台５２上に椅子の背５３の下部が蝶着されていて、その下部に起立板５３ｂが形設されていて、その起立板５３ｂと上肢の座５４の起立板５４ｂとは蝶着され、アクチュエータ５０が伸長すると、図３に示すように、上肢の座５４が上昇して、背５３が後傾するとともに、基台５２の下部とアクチュエータ５０とを連結しているＣ形の部材５８の前部が上傾して、Ｃ形の部材５８と下肢の座５５を連結している部材６０を押し上げて下肢の座５５を上傾する。以上の構造で、家庭用には大掛かりな椅子であった。
【先行技術文献】
【特許文献】
【０００４】
【特許文献１】特開２０１０−１４８７９２号公報
【発明の概要】
【発明が解決しようとする課題】
【０００５】
背を後傾する椅子の構造を単純・軽量な構造にして、家庭での安息、介護に利用しやすくする。
【課題を解決するための手段】
【０００６】
図１ａは、本発明の椅子の背が起立状態のときの側面図である。
台座１上の前部に低い台２、後部に高い台３の上方に突設していて、その高い台３上に、下方に背の延長部４を設けた背の部材５の背部６と上肢の座９の蝶着部７から上に離れた位置を蝶着（例えば蝶着部８参照）し、その上肢の座９の前縁に下肢の座１０が蝶着され、下肢の座１０の下辺に足の座１１が、足の座１１の後部を下肢の座１０の後部に重ねて、軸着している。
【０００７】
上肢の座９の中間は、低い台２上に蝶着して斜上した部材（例えば斜支材１３）の先端に支えられ、下肢の座１０の中間は、背の延長部４の先端に蝶着して前方に突設した部材（例えば横支材１２）の尖端に蝶着されたものである。
【発明の効果】
【０００８】
本発明の椅子は、簡単・軽量な構造で、上体を後傾するだけで椅子の背は後傾し、図１ｂに示すように、下肢の座１０及び足の座に足を伸ばして寛ぐことができ、さらに背を後傾して仰臥すると、図１ｃに示すように、椅子の背部６、上肢の座９、下肢の座１０、足の座１１は水平に展開して、水平に展開した椅子に仰臥して休むことができ、仰臥した上体を起こすと椅子は、たやすく上体を後傾する前のように復元する。本発明の椅子は、このように上体の簡単な動きだけで操作できる軽量簡易なリンク構造の椅子である。
【実施例１】
【０００９】
図１ａ、図１ｂ図及び図１ｃは、台座と足の座の前部にキャスター１４及び１５を取り付けた家庭用の椅子である。
台座１上の前部に低い台２、後部に高い台３の上方に突設していて、その高い台３上に、下方に背の延長部４を設けた背の部材５の背部６と上肢の座９の蝶着部７から上に離れた位置を蝶着（例えば蝶着部８参照）し、その上肢の座９の前縁に下肢の座１０が蝶着され、下肢の座１０の下辺に足の座１１が、足の座１１の後部を下肢の座１０の後部に重ねて、軸着している。
【００１０】
上肢の座９の中間は、低い台２上に蝶着して斜上した部材（例えば斜支材１３）の先端に支えられ、下肢の座１０の中間は、背の延長部４の先端に蝶着して前方に突設した部材（例えば横支材１２）の尖端に蝶着されたものである。
椅子に坐った人が背を後傾すると（図１ａ参照）、背部６と高い台３との蝶着部８を支点として腰から下を押すことになるとともに、体の重心を高い台３で支えて後傾することになるから、他の力を借りずに背を容易に後傾することができ、このとき上肢の座９は斜上した部材（例えば斜支材１３）に支えられ、図１ｂに示すように、下肢の座１０は背の延長部４から前方に突設した部材（例えば横支材１２）に押されて足の座１１ととも斜上し、さらに上謡を仰臥すると、図１ｃに示すように、椅子の背部６、上肢の座９、下肢の座１０及び足の座１１は水平に展開し、椅子に坐っていた人は仰臥することができる。
【００１１】
前記の仰臥するために、上体を起こすと（図１ｃ参照）、図１ｂ及び図１ａに示すように、上体の体重は背部６と上肢の座９の蝶着部７に掛かって椅子の背を押し上げる力が働いて、容易に上体を起こすことができる。そのまま上体を容易に起こして、図１ａに示すように、坐ることができる。
この椅子は、椅子に座って上体を後傾すると（図１ａ参照）、図１ｂ及び図１ｃに示すように、上肢の座９、下肢の座１０、背の延長部４、及び当該背の延長部４と下肢の座１０の中間を連結した部材（例えば横支材１２）でなす第１の４節リンクと、背が後傾し、下肢の座１０と足の座１１が上傾し（図１ｂ参照）、背部６（背部６と高い台３の蝶着部８）、上肢の座９（背部６と上肢の座９の蝶着部７）、斜上した部材（例えば斜支材１３）、及び台座１上の低い台２及び高い台３でなす第２の４節リンクを組み合わせたわかりやすい構造の椅子で家庭用、高齢者の安息用、介護用である。
【００１２】
すなわち、第１の４節リンクは、図１ａ及び図１ｂに示すように、上肢の座９、下肢の座１０の一部（上肢の座９が蝶着された端部から、横支材１２が蝶着された中間部まで）、背の延長部４、及び横支材１２から構成されている。
第２の４節リンクは、図１ａ及び図１ｂに示すように、背部６の一部（蝶着部８から蝶着部７の間）、上肢の座９の一部（蝶着部７から斜支材１３が蝶着された箇所まで）、斜支材１３、及び台座１の一部（斜支材１３が蝶着された低い台２から、蝶着部８のある高い台３まで）から構成されている。
【実施例２】
【００１３】
後輪にブレーキつきの車輪を取り付けた介護用の椅子である。
復帰するための機構及びアクチュエータを排して、高齢者の安息用、普及できる椅子である。
【図面の簡単な説明】
【００１４】
【図１ａ】背が起立状態のときの椅子の側面図
【図１ｂ】背を上傾しているときの椅子の側面図
【図１ｃ】仰臥時の椅子の側面図
【図２】背が起立状態のときの従来の椅子の側面図
【図３】背を上傾しているときの従来の椅子の側面図
【符号の説明】
【００１５】
１  台座
２  低い台
３  高い台
４  背の延長部
５  背の部材
６  背部
７  背部と上肢の座の蝶着部
８  背部と高い台の蝶着部
９  上肢の座
１０  下肢の座
１１  足の座
１２  横支材
１３  斜支材
１４  キャスター
１５  キャスター
５０  アクチュエ一夕
５１  台座
５２  基台
５３  背
５３ｂ  背の起立板
５４  上肢の座
５４ｂ  上肢の座の起立板
５５  下肢の座
５６  足の座
５６  Ｃ型の部材
６０  Ｃ形の部材と下肢の座を連結している部材
【手続補正３】
【補正対象書類名】図面
【補正対象項目名】図１ａ
【補正方法】変更
【補正の内容】
【図１ａ】
2012135590.tif 000001
【手続補正４】
【補正対象書類名】図面
【補正対象項目名】図１ｂ
【補正方法】変更
【補正の内容】
【図１ｂ】
2012135590.tif 000002
【手続補正５】
【補正対象書類名】図面
【補正対象項目名】図１ｃ
【補正方法】変更
【補正の内容】
【図１ｃ】
2012135590.tif 000003